(57)【要約】【課題】アルコール検査において、確実に本人が検査を実施したという証拠を残すことができるアルコール検査装置、アルコール検査方法及びプログラムを提供する。【解決手段】被験者により吹き込まれた息からアルコール濃度を測定するアルコール検査部と、アルコール検査部の測定結果に基づいて、被験者が飲酒状態か否かを判定する飲酒判定部と、アルコール検査部に息が吹き込まれた際に、被験者の顔画像を撮影するカメラ部と、カメラ部にて撮影された顔画像と、事前に撮影された被験者本人の顔画像とを比較して、被験者が本人であるか否かを判定する本人認証を行う顔認証本人判定部と、顔認証本人判定部による本人認証の結果と、飲酒判定部による飲酒判定の結果とを合わせて編集する結果制御部と、結果制御部にて編集された結果を表示する結果表示部と、を有する。【選択図】図１
2008170395.tif 000002
【特許請求の範囲】
【請求項１】
被験者により吹き込まれた息からアルコール濃度を測定するアルコール検査部と、
前記アルコール検査部の測定結果に基づいて、前記被験者が飲酒状態か否かを判定する飲酒判定部と、
前記アルコール検査部に息が吹き込まれた際に、前記被験者の顔画像を撮影するカメラ部と、
前記カメラ部にて撮影された顔画像と、事前に撮影された被験者本人の顔画像とを比較して、前記被験者が本人であるか否かを判定する本人認証を行う顔認証本人判定部と、
前記顔認証本人判定部による本人認証の結果と、前記飲酒判定部による飲酒判定の結果とを合わせて編集する結果制御部と、
前記結果制御部にて編集された結果を表示する結果表示部と、
を有することを特徴とするアルコール検査装置。
【請求項２】
前記事前に撮影された被験者本人の顔画像があらかじめ登録されている事前登録顔画像記憶部をさらに有することを特徴とする請求項１記載のアルコール検査装置。
【請求項３】
前記事前に撮影された被験者本人の顔画像があらかじめ登録されている記憶媒体から該顔画像を読み取る記憶媒体読取部をさらに有し、
前記顔認証本人判定部は、
前記カメラ部にて撮影された顔画像と、前記記憶媒体読取部にて読み取った顔画像とを比較して、前記被験者が本人であるか否かを判定する本人認証を行うことを特徴とする請求項１又は２記載のアルコール検査装置。
【請求項４】
前記事前に撮影された被験者本人の顔画像があらかじめ登録されている外部装置と通信可能なインターフェースをさらに有し、
前記外部装置は、
前記被験者の識別情報を受け取った場合に、該識別情報に紐付けられてあらかじめ登録されている顔画像を前記顔認証本人判定部へ送信し、
前記顔認証本人判定部は、
前記カメラ部にて撮影された顔画像と、前記外部装置から受信した顔画像とを比較して、前記被験者が本人であるか否かを判定する本人認証を行うことを特徴とする請求項１から３のいずれか１項に記載のアルコール検査装置。
【請求項５】
事前に撮影された被験者本人の顔画像があらかじめ登録され、該顔画像と、外部より受信した顔画像とを比較して、前記被験者が本人であるか否かを判定する本人認証を行う外部装置と通信可能なアルコール検査装置であって、
被験者により吹き込まれた息からアルコール濃度を測定するアルコール検査部と、
前記アルコール検査部の測定結果に基づいて、前記被験者が飲酒状態か否かを判定する飲酒判定部と、
前記アルコール検査部に息が吹き込まれた際に、前記被験者の顔画像を撮影し、該撮影した顔画像を前記外部装置へ送信するカメラ部と、
前記外部装置で行われた本人認証の結果を前記外部装置から受信し、該本人認証の結果と、前記飲酒判定部による飲酒判定の結果とを合わせて編集する結果制御部と、
前記結果制御部にて編集された結果を表示する結果表示部と、
を有することを特徴とするアルコール検査装置。
【請求項６】
前記結果制御部は、
前記本人認証の結果が被験者本人であり、かつ、前記飲酒判定の結果が飲酒状態ではない場合、前記被験者が操作する対象である操作対象システムに対して、前記被験者の操作を許可する制御信号を出力し、
前記本人認証の結果が被験者本人ではない、又は、前記飲酒判定の結果が飲酒状態である場合、前記操作対象システムに対して、前記被験者の操作を禁止する制御信号を出力することを特徴とする請求項１から５のいずれか１項に記載のアルコール検査装置。
【請求項７】
前記アルコール検査部に息が吹き込まれた日時と、前記本人認証の結果及び前記飲酒判定の結果とが対応付けられた履歴情報を保存する履歴保存部をさらに有することを特徴とする請求項１から６のいずれか１項に記載のアルコール検査装置。
【請求項８】
前記結果制御部は、
前記アルコール検査部に息が吹き込まれた日時と、前記本人認証の結果及び前記飲酒判定の結果とが対応付けられた履歴情報を外部へ送信することを特徴とする請求項１から７のいずれか１項に記載のアルコール検査装置。
【請求項９】
被験者により吹き込まれた息からアルコール濃度を測定するアルコール検査工程と、
前記アルコール検査工程の測定結果に基づいて、前記被験者が飲酒状態か否かを判定する飲酒判定工程と、
前記アルコール検査工程で息が吹き込まれた際に、前記被験者の顔画像を撮影する撮影工程と、
前記撮影工程にて撮影された顔画像と、事前に撮影された被験者本人の顔画像とを比較して、前記被験者が本人であるか否かを判定する本人認証を行う顔認証本人判定工程と、
前記顔認証本人判定工程による本人認証の結果と、前記飲酒判定工程による飲酒判定の結果とを合わせて編集する結果制御工程と、
前記結果制御工程にて編集された結果を表示する結果表示工程と、
を行うことを特徴とするアルコール検査方法。
【請求項１０】
前記事前に撮影された被験者本人の顔画像をあらかじめ登録する事前登録顔画像記憶工程を行うことを特徴とする請求項９記載のアルコール検査方法。
【請求項１１】
前記事前に撮影された被験者本人の顔画像があらかじめ登録されている記憶媒体から該顔画像を読み取る記憶媒体読取工程を行い、
前記顔認証本人判定工程は、
前記撮影工程にて撮影された顔画像と、前記記憶媒体読取工程にて読み取った顔画像とを比較して、前記被験者が本人であるか否かを判定する本人認証を行うことを特徴とする請求項９又は１０記載のアルコール検査方法。
【請求項１２】
前記事前に撮影された被験者本人の顔画像があらかじめ登録されている外部装置と通信を行い、
前記外部装置が前記被験者の識別情報を受け取った場合に、該外部装置により、該識別情報に紐付けられてあらかじめ登録されている顔画像が前記アルコール検査装置へ送信された場合、
前記顔認証本人判定工程は、
前記撮影工程にて撮影された顔画像と、前記外部装置から受信した顔画像とを比較して、前記被験者が本人であるか否かを判定する本人認証を行うことを特徴とする請求項９から１１のいずれか１項に記載のアルコール検査方法。
【請求項１３】
事前に撮影された被験者本人の顔画像があらかじめ登録され、該顔画像と、前記撮影工程で送信された顔画像とを比較して、前記被験者が本人であるか否かを判定する本人認証を行う外部装置と通信を行うアルコール検査方法であって、
被験者により吹き込まれた息からアルコール濃度を測定するアルコール検査工程と、
前記アルコール検査工程の測定結果に基づいて、前記被験者が飲酒状態か否かを判定する飲酒判定工程と、
前記アルコール検査工程で息が吹き込まれた際に、前記被験者の顔画像を撮影し、該撮影した顔画像を前記外部装置へ送信する撮影工程と、
前記外部装置で行われた本人認証の結果を前記外部装置から受信し、該本人認証の結果と、前記飲酒判定工程による飲酒判定の結果とを合わせて編集する結果制御工程と、
前記結果制御工程にて編集された結果を表示する結果表示工程と、
を有することを特徴とするアルコール検査方法。
【請求項１４】
前記結果制御工程は、
前記本人認証の結果が被験者本人であり、かつ、前記飲酒判定の結果が飲酒状態ではない場合、前記被験者が操作する対象である操作対象システムに対して、前記被験者の操作を許可する制御信号を出力し、
前記本人認証の結果が被験者本人ではない、又は、前記飲酒判定の結果が飲酒状態である場合、前記操作対象システムに対して、前記被験者の操作を禁止する制御信号を出力することを特徴とする請求項９から１３のいずれか１項に記載のアルコール検査方法。
【請求項１５】
前記アルコール検査工程で息が吹き込まれた日時と、前記本人認証の結果及び前記飲酒判定の結果とが対応付けられた履歴情報を保存する履歴保存工程をさらに有することを特徴とする請求項９から１４のいずれか１項に記載のアルコール検査方法。
【請求項１６】
前記結果制御工程は、
前記アルコール検査工程で息が吹き込まれた日時と、前記本人認証の結果及び前記飲酒判定の結果とが対応付けられた履歴情報を外部へ送信することを特徴とする請求項９から１５のいずれか１項に記載のアルコール検査方法。
【請求項１７】
被験者により吹き込まれた息からアルコール濃度を測定するアルコール検査処理と、
前記アルコール検査処理の測定結果に基づいて、前記被験者が飲酒状態か否かを判定する飲酒判定処理と、
前記アルコール検査処理で息が吹き込まれた際に、前記被験者の顔画像を撮影する撮影処理と、
前記撮影処理にて撮影された顔画像と、事前に撮影された被験者本人の顔画像とを比較して、前記被験者が本人であるか否かを判定する本人認証を行う顔認証本人判定処理と、
前記顔認証本人判定処理による本人認証の結果と、前記飲酒判定処理による飲酒判定の結果とを合わせて編集する結果制御処理と、
前記結果制御処理にて編集された結果を表示する結果表示処理と、
をコンピュータに実行させることを特徴とするプログラム。
【請求項１８】
前記事前に撮影された被験者本人の顔画像をあらかじめ登録する事前登録顔画像記憶処理をコンピュータに実行させることを特徴とする請求項１７記載のプログラム。
【請求項１９】
前記事前に撮影された被験者本人の顔画像があらかじめ登録されている記憶媒体から該顔画像を読み取る記憶媒体読取処理をコンピュータに実行させ、
前記顔認証本人判定処理として、
前記撮影処理にて撮影された顔画像と、前記記憶媒体読取処理にて読み取った顔画像とを比較して、前記被験者が本人であるか否かを判定する本人認証をコンピュータに実行させることを特徴とする請求項１７又は１８記載のプログラム。
【請求項２０】
前記事前に撮影された被験者本人の顔画像があらかじめ登録されている外部装置との通信をコンピュータに実行させ、
前記外部装置が前記被験者の識別情報を受け取った場合に、該外部装置により、該識別情報に紐付けられてあらかじめ登録されている顔画像が前記アルコール検査装置へ送信された場合、
前記顔認証本人判定処理として、
前記撮影処理にて撮影された顔画像と、前記外部装置から受信した顔画像とを比較して、前記被験者が本人であるか否かを判定する本人認証をコンピュータに実行させることを特徴とする請求項１７から１９のいずれか１項に記載のプログラム。
【請求項２１】
事前に撮影された被験者本人の顔画像があらかじめ登録され、該顔画像と、前記撮影処理で送信された顔画像とを比較して、前記被験者が本人であるか否かを判定する本人認証を行う外部装置との通信をコンピュータに実行させるプログラムであって、
被験者により吹き込まれた息からアルコール濃度を測定するアルコール検査処理と、
前記アルコール検査処理の測定結果に基づいて、前記被験者が飲酒状態か否かを判定する飲酒判定処理と、
前記アルコール検査処理で息が吹き込まれた際に、前記被験者の顔画像を撮影し、該撮影した顔画像を前記外部装置へ送信する撮影処理と、
前記外部装置で行われた本人認証の結果を前記外部装置から受信し、該本人認証の結果と、前記飲酒判定処理による飲酒判定の結果とを合わせて編集する結果制御処理と、
前記結果制御処理にて編集された結果を表示する結果表示処理と、
をコンピュータに実行させることを特徴とするプログラム。
【請求項２２】
前記結果制御処理として、
前記本人認証の結果が被験者本人であり、かつ、前記飲酒判定の結果が飲酒状態ではない場合、前記被験者が操作する対象である操作対象システムに対して、前記被験者の操作を許可する制御信号を出力させ、
前記本人認証の結果が被験者本人ではない、又は、前記飲酒判定の結果が飲酒状態である場合、前記操作対象システムに対して、前記被験者の操作を禁止する制御信号を出力させることをコンピュータに実行させることを特徴とする請求項１７から２１のいずれか１項に記載のプログラム。
【請求項２３】
前記アルコール検査処理で息が吹き込まれた日時と、前記本人認証の結果及び前記飲酒判定の結果とが対応付けられた履歴情報を保存する履歴保存処理をさらにコンピュータに実行させることを特徴とする請求項１７から２２のいずれか１項に記載のプログラム。
【請求項２４】
前記結果制御処理として、
前記アルコール検査処理で息が吹き込まれた日時と、前記本人認証の結果及び前記飲酒判定の結果とが対応付けられた履歴情報を外部へ送信することをコンピュータに実行させることを特徴とする請求項１７から２３のいずれか１項に記載のプログラム。
【発明の詳細な説明】
【技術分野】
【０００１】
本発明は、アルコール検査装置、アルコール検査方法及びプログラムに関する。
【背景技術】
【０００２】
近年、公共のバスや電車などの運転者が飲酒運転を行い、大きな事故などを起こすケースが増えてきた。その対策として、各事業所等にアルコール検査器システムを設置し、このシステムを用いて、始業前飲酒点検を行っている。
【０００３】
このアルコール検査器システムは、飲酒が許されない業務に携わる者の飲酒を検査するために利用されるものである。このようなシステムの従来技術例として、「アルコール検知システム」が特許文献１に開示されている。この特許文献１に記載されたアルコール検知システムは、運転免許証を読み込んで本人の認証とし、アルコール検査の結果をその本人のものとしている。
【特許文献１】特開２００５−１５７５９９号公報
【発明の開示】
【発明が解決しようとする課題】
【０００４】
しかし、上記特許文献１を始めとする従来技術のアルコール検査器システムには、以下のような問題点があった。
第一の問題点は、アルコール検査を免れるために別人が検査を受け、当該運転士は適切なアルコール検査を受けないまま予定の乗務に就くというように、他人による成りすましやごまかしができることである。これは、運転免許証を本人の認証としていることにより、アルコール検査を他人に依頼することできるためである。
第二の問題点は、アルコール検査を実施したという証拠が残らない点である。これは、検査を実施したときのデータとともに、確実に本人が検査を実施したときの画像が残っていないためである。
【０００５】
本発明は、上記事情に鑑みてなされたものであり、アルコール検査において、確実に本人が検査を実施したという証拠を残すことができるアルコール検査装置、アルコール検査方法及びプログラムを提供することを目的とする。
【課題を解決するための手段】
【０００６】
かかる目的を達成するために、請求項１記載の発明は、被験者により吹き込まれた息からアルコール濃度を測定するアルコール検査部と、アルコール検査部の測定結果に基づいて、被験者が飲酒状態か否かを判定する飲酒判定部と、アルコール検査部に息が吹き込まれた際に、被験者の顔画像を撮影するカメラ部と、カメラ部にて撮影された顔画像と、事前に撮影された被験者本人の顔画像とを比較して、被験者が本人であるか否かを判定する本人認証を行う顔認証本人判定部と、顔認証本人判定部による本人認証の結果と、飲酒判定部による飲酒判定の結果とを合わせて編集する結果制御部と、結果制御部にて編集された結果を表示する結果表示部と、を有することを特徴とする。
【０００７】
請求項２記載の発明は、請求項１記載の発明において、事前に撮影された被験者本人の顔画像があらかじめ登録されている事前登録顔画像記憶部をさらに有することを特徴とする。
【０００８】
請求項３記載の発明は、請求項１又は２記載の発明において、事前に撮影された被験者本人の顔画像があらかじめ登録されている記憶媒体から顔画像を読み取る記憶媒体読取部をさらに有し、顔認証本人判定部は、カメラ部にて撮影された顔画像と、記憶媒体読取部にて読み取った顔画像とを比較して、被験者が本人であるか否かを判定する本人認証を行うことを特徴とする。
【０００９】
請求項４記載の発明は、請求項１から３のいずれか１項に記載の発明において、事前に撮影された被験者本人の顔画像があらかじめ登録されている外部装置と通信可能なインターフェースをさらに有し、外部装置は、被験者の識別情報を受け取った場合に、識別情報に紐付けられてあらかじめ登録されている顔画像を顔認証本人判定部へ送信し、顔認証本人判定部は、カメラ部にて撮影された顔画像と、外部装置から受信した顔画像とを比較して、被験者が本人であるか否かを判定する本人認証を行うことを特徴とする。
【００１０】
請求項５記載の発明は、事前に撮影された被験者本人の顔画像があらかじめ登録され、顔画像と、外部より受信した顔画像とを比較して、被験者が本人であるか否かを判定する本人認証を行う外部装置と通信可能なアルコール検査装置であって、被験者により吹き込まれた息からアルコール濃度を測定するアルコール検査部と、アルコール検査部の測定結果に基づいて、被験者が飲酒状態か否かを判定する飲酒判定部と、アルコール検査部に息が吹き込まれた際に、被験者の顔画像を撮影し、撮影した顔画像を外部装置へ送信するカメラ部と、外部装置で行われた本人認証の結果を外部装置から受信し、本人認証の結果と、飲酒判定部による飲酒判定の結果とを合わせて編集する結果制御部と、結果制御部にて編集された結果を表示する結果表示部と、を有することを特徴とする。
【００１１】
請求項６記載の発明は、請求項１から５のいずれか１項に記載の発明において、結果制御部は、本人認証の結果が被験者本人であり、かつ、飲酒判定の結果が飲酒状態ではない場合、被験者が操作する対象である操作対象システムに対して、被験者の操作を許可する制御信号を出力し、本人認証の結果が被験者本人ではない、又は、飲酒判定の結果が飲酒状態である場合、操作対象システムに対して、被験者の操作を禁止する制御信号を出力することを特徴とする。
【００１２】
請求項７記載の発明は、請求項１から６のいずれか１項に記載の発明において、アルコール検査部に息が吹き込まれた日時と、本人認証の結果及び飲酒判定の結果とが対応付けられた履歴情報を保存する履歴保存部をさらに有することを特徴とする。
【００１３】
請求項８記載の発明は、請求項１から７のいずれか１項に記載の発明において、結果制御部は、アルコール検査部に息が吹き込まれた日時と、本人認証の結果及び飲酒判定の結果とが対応付けられた履歴情報を外部へ送信することを特徴とする。
【００１４】
請求項９記載の発明は、被験者により吹き込まれた息からアルコール濃度を測定するアルコール検査工程と、アルコール検査工程の測定結果に基づいて、被験者が飲酒状態か否かを判定する飲酒判定工程と、アルコール検査工程で息が吹き込まれた際に、被験者の顔画像を撮影する撮影工程と、撮影工程にて撮影された顔画像と、事前に撮影された被験者本人の顔画像とを比較して、被験者が本人であるか否かを判定する本人認証を行う顔認証本人判定工程と、顔認証本人判定工程による本人認証の結果と、飲酒判定工程による飲酒判定の結果とを合わせて編集する結果制御工程と、結果制御工程にて編集された結果を表示する結果表示工程と、を行うことを特徴とする。
【００１５】
請求項１０記載の発明は、請求項９記載の発明において、事前に撮影された被験者本人の顔画像をあらかじめ登録する事前登録顔画像記憶工程を行うことを特徴とする。
【００１６】
請求項１１記載の発明は、請求項９又は１０記載の発明において、事前に撮影された被験者本人の顔画像があらかじめ登録されている記憶媒体から顔画像を読み取る記憶媒体読取工程を行い、顔認証本人判定工程は、撮影工程にて撮影された顔画像と、記憶媒体読取工程にて読み取った顔画像とを比較して、被験者が本人であるか否かを判定する本人認証を行うことを特徴とする。
【００１７】
請求項１２記載の発明は、請求項９から１１のいずれか１項に記載の発明において、事前に撮影された被験者本人の顔画像があらかじめ登録されている外部装置と通信を行い、外部装置が被験者の識別情報を受け取った場合に、外部装置により、識別情報に紐付けられてあらかじめ登録されている顔画像がアルコール検査装置へ送信された場合、顔認証本人判定工程は、撮影工程にて撮影された顔画像と、外部装置から受信した顔画像とを比較して、被験者が本人であるか否かを判定する本人認証を行うことを特徴とする。
【００１８】
請求項１３記載の発明は、事前に撮影された被験者本人の顔画像があらかじめ登録され、顔画像と、撮影工程で送信された顔画像とを比較して、被験者が本人であるか否かを判定する本人認証を行う外部装置と通信を行うアルコール検査方法であって、被験者により吹き込まれた息からアルコール濃度を測定するアルコール検査工程と、アルコール検査工程の測定結果に基づいて、被験者が飲酒状態か否かを判定する飲酒判定工程と、アルコール検査工程で息が吹き込まれた際に、被験者の顔画像を撮影し、撮影した顔画像を外部装置へ送信する撮影工程と、外部装置で行われた本人認証の結果を外部装置から受信し、本人認証の結果と、飲酒判定工程による飲酒判定の結果とを合わせて編集する結果制御工程と、結果制御工程にて編集された結果を表示する結果表示工程と、を有することを特徴とする。
【００１９】
請求項１４記載の発明は、請求項９から１３のいずれか１項に記載の発明において、結果制御工程は、本人認証の結果が被験者本人であり、かつ、飲酒判定の結果が飲酒状態ではない場合、被験者が操作する対象である操作対象システムに対して、被験者の操作を許可する制御信号を出力し、本人認証の結果が被験者本人ではない、又は、飲酒判定の結果が飲酒状態である場合、操作対象システムに対して、被験者の操作を禁止する制御信号を出力することを特徴とする。
【００２０】
請求項１５記載の発明は、請求項９から１４のいずれか１項に記載の発明において、アルコール検査工程で息が吹き込まれた日時と、本人認証の結果及び飲酒判定の結果とが対応付けられた履歴情報を保存する履歴保存工程をさらに有することを特徴とする。
【００２１】
請求項１６記載の発明は、請求項９から１５のいずれか１項に記載の発明において、結果制御工程は、アルコール検査工程で息が吹き込まれた日時と、本人認証の結果及び飲酒判定の結果とが対応付けられた履歴情報を外部へ送信することを特徴とする。
【００２２】
請求項１７記載の発明は、被験者により吹き込まれた息からアルコール濃度を測定するアルコール検査処理と、アルコール検査処理の測定結果に基づいて、被験者が飲酒状態か否かを判定する飲酒判定処理と、アルコール検査処理で息が吹き込まれた際に、被験者の顔画像を撮影する撮影処理と、撮影処理にて撮影された顔画像と、事前に撮影された被験者本人の顔画像とを比較して、被験者が本人であるか否かを判定する本人認証を行う顔認証本人判定処理と、顔認証本人判定処理による本人認証の結果と、飲酒判定処理による飲酒判定の結果とを合わせて編集する結果制御処理と、結果制御処理にて編集された結果を表示する結果表示処理と、をコンピュータに実行させることを特徴とする。
【００２３】
請求項１８記載の発明は、請求項１７記載の発明において、事前に撮影された被験者本人の顔画像をあらかじめ登録する事前登録顔画像記憶処理をコンピュータに実行させることを特徴とする。
【００２４】
請求項１９記載の発明は、請求項１７又は１８記載の発明において、事前に撮影された被験者本人の顔画像があらかじめ登録されている記憶媒体から顔画像を読み取る記憶媒体読取処理をコンピュータに実行させ、顔認証本人判定処理として、撮影処理にて撮影された顔画像と、記憶媒体読取処理にて読み取った顔画像とを比較して、被験者が本人であるか否かを判定する本人認証をコンピュータに実行させることを特徴とする。
【００２５】
請求項２０記載の発明は、請求項１７から１９のいずれか１項に記載の発明において、事前に撮影された被験者本人の顔画像があらかじめ登録されている外部装置との通信をコンピュータに実行させ、外部装置が被験者の識別情報を受け取った場合に、外部装置により、識別情報に紐付けられてあらかじめ登録されている顔画像がアルコール検査装置へ送信された場合、顔認証本人判定処理として、撮影処理にて撮影された顔画像と、外部装置から受信した顔画像とを比較して、被験者が本人であるか否かを判定する本人認証をコンピュータに実行させることを特徴とする。
【００２６】
請求項２１記載の発明は、事前に撮影された被験者本人の顔画像があらかじめ登録され、顔画像と、撮影処理で送信された顔画像とを比較して、被験者が本人であるか否かを判定する本人認証を行う外部装置との通信をコンピュータに実行させるプログラムであって、被験者により吹き込まれた息からアルコール濃度を測定するアルコール検査処理と、アルコール検査処理の測定結果に基づいて、被験者が飲酒状態か否かを判定する飲酒判定処理と、アルコール検査処理で息が吹き込まれた際に、被験者の顔画像を撮影し、撮影した顔画像を外部装置へ送信する撮影処理と、外部装置で行われた本人認証の結果を外部装置から受信し、本人認証の結果と、飲酒判定処理による飲酒判定の結果とを合わせて編集する結果制御処理と、結果制御処理にて編集された結果を表示する結果表示処理と、をコンピュータに実行させることを特徴とする。
【００２７】
請求項２２記載の発明は、請求項１７から２１のいずれか１項に記載の発明において、結果制御処理として、本人認証の結果が被験者本人であり、かつ、飲酒判定の結果が飲酒状態ではない場合、被験者が操作する対象である操作対象システムに対して、被験者の操作を許可する制御信号を出力させ、本人認証の結果が被験者本人ではない、又は、飲酒判定の結果が飲酒状態である場合、操作対象システムに対して、被験者の操作を禁止する制御信号を出力させることをコンピュータに実行させることを特徴とする。
【００２８】
請求項２３記載の発明は、請求項１７から２２のいずれか１項に記載の発明において、アルコール検査処理で息が吹き込まれた日時と、本人認証の結果及び飲酒判定の結果とが対応付けられた履歴情報を保存する履歴保存処理をさらにコンピュータに実行させることを特徴とする。
【００２９】
請求項２４記載の発明は、請求項１７から２３のいずれか１項に記載の発明において、結果制御処理として、アルコール検査処理で息が吹き込まれた日時と、本人認証の結果及び飲酒判定の結果とが対応付けられた履歴情報を外部へ送信することをコンピュータに実行させることを特徴とする。
【発明の効果】
【００３０】
本発明によれば、アルコール検査において、確実に本人が検査を実施したという証拠を残すことができるので、別人が身代わりとなって検査を行うといったなりすましやごまかしを防止できる。
【発明を実施するための最良の形態】
【００３１】
以下、本発明を実施するための最良の形態について添付図面を参照して詳細に説明する。
【００３２】
本発明は、アルコール検査機能と本人認証機能の両方を用いて、アルコール検査時に被験者の顔画像データを撮影し、その顔画像データを使って本人認証を実施し、本人認証結果とアルコール検査結果とを組み合わせることを特徴とする。これにより、アルコール検査結果が誰のものなのかを特定でき、アルコール検査結果が他人によるものではなく、本人により実施されたことを確実に証明することができので、他人によるなりすましを防止することができる。
【実施例１】
【００３３】
本発明の実施例１であるアルコール検査装置の構成について、図１を参照して以下に説明する。
【００３４】
図１に示すように、本実施例１のアルコール検査装置は、被験者により吹き込まれた息からアルコール濃度を測定するアルコール検査部１０１と、アルコール検査部１０１の検査データ（アルコール濃度を数値化したもの）を元に被験者が飲酒状態か否かを判定する飲酒判定部１０２と、アルコール検査部１０１にて検査中の被験者の顔画像を撮影するカメラ部１０４と、検査前に撮影された被験者本人の顔画像があらかじめ登録されている事前登録顔画像記憶部１０５と、カメラ部１０４にて撮影された顔画像と、事前登録顔画像記憶部１０５にあらかじめ登録されている顔画像とを比較して、被験者が本人であるか否かを判定する本人認証を行う顔認証本人判定部１０６と、本人認証の結果と飲酒判定の結果とを編集する結果制御部１０３と、結果制御部１０３にて編集された結果を表示する結果表示部（ディスプレイ）１０７と、を有して構成される。
【００３５】
本発明の実施例１であるアルコール検査装置の動作（アルコール検査方法）について、図２及び図３を参照して以下に説明する。なお、以下に説明するアルコール検査装置の動作（アルコール検査方法）は、アルコール検査プログラムがアルコール検査装置に読み込まれ、アルコール検査装置の動作を制御することによって実行される。アルコール検査装置は、このアルコール検査プログラムの制御により以下の処理を実行する。これは、本実施例１に限らず、以下の実施例２〜６も同様である。
【００３６】
本実施例１のアルコール検査装置を使用してアルコール検査を実施する場合、図３に示すように、被験者はまずアルコール検査部１０１に息を吹き込む（２０１）。
【００３７】
カメラ部１０４は、アルコール検査部１０１に息が吹き込まれたことをトリガーとして、被験者の顔画像を撮影し、顔画像データとして取得する（２０２）。顔認証本人判定部１０６は、事前登録顔画像記憶部１０５にあらかじめ登録されている正規の利用者の顔画像と、カメラ部１０４で撮影された被験者の顔画像とを照合して、検査中の被験者が本人であるか否かを判定する本人認証を行う（２０３）。
【００３８】
一方、図２において、上記２０２，２０３と並行して、２０４，２０５が行われる。すなわち、被験者によりアルコール検査部１０１に息が吹き込まれると（２０１）、アルコール検査部１０１は、その息を分析し、息の中に含まれているアルコール濃度を数値化し、飲酒判定部１０２へ送信する（２０４）。飲酒判定部１０２は、アルコール検査部１０１から送信されたアルコール濃度の数値を元に飲酒判定を行う（２０５）。
【００３９】
そして、結果制御部１０３は、上記２０３における顔認証本人判定部１０６での本人認証の結果と、上記２０５における飲酒判定部１０２での飲酒判定の結果とを合わせた形式に編集し、結果表示部１０７に表示する（２０６）。
【００４０】
以上説明したように、本実施例１によれば、以下の効果を奏する。
第一の効果は、アルコール検査で別人が代わって検査を行うといったなりすましやごまかしができなくなる。その理由は、アルコール検査と同時に撮影された顔画像を用いて本人認証を行うためである。
第二の効果は、本人がアルコール検査を実施したという証拠を残すことができる。その理由は、アルコール検査と同時に被検査者の顔画像データを採取することで、撮影された顔画像が証拠になるためである。
第三の効果は、不正実施の抑止効果となる。その理由は、アルコール検査と同時に被検査者の顔画像データを採取することで、不正を実施した際に証拠が残るためである。
【実施例２】
【００４１】
次に、本発明の実施例２であるアルコール検査装置の構成について、図４を参照して以下に説明する。
【００４２】
図４に示すように、本実施例２のアルコール検査装置は、被験者により吹き込まれた息からアルコール濃度を測定するアルコール検査部４０１と、アルコール検査部４０１の検査データ（アルコール濃度を数値化したもの）を元に被験者が飲酒状態か否かを判定する飲酒判定部４０２と、アルコール検査部４０１にて検査中の被験者の顔画像を撮影するカメラ部４０４と、検査前に撮影された被験者本人の顔画像があらかじめ登録されている事前登録顔画像記憶部４０５と、カメラ部４０４にて撮影された顔画像と、事前登録顔画像記憶部４０５にあらかじめ登録されている顔画像とを比較して、被験者が本人であるか否かを判定する本人認証を行う顔認証本人判定部４０６と、本人認証の結果と飲酒判定の結果とを編集するとともに、それら両結果を判断し、その判断に基づいて操作対象システム４０８の操作を制御する制御信号を出力する結果制御部４０３と、結果制御部４０３にて編集された結果を表示する結果表示部（ディスプレイ）４０７と、被験者が操作する対象である操作対象システム（自動車、列車、作業機械等）４０８と、を有して構成される。
【００４３】
本発明の実施例２であるアルコール検査装置の動作（アルコール検査方法）について、図５及び図６を参照して以下に説明する。上記実施例１では、単に本人認証及び飲酒判定の結果を表示するだけだが、本実施例２では、顔認証本人判定部４０６と飲酒判定部４０２の結果を受け、結果制御部４０３での結果に従って、本人認証及び飲酒判定の結果の表示に加え、操作対象システム４０８に対して、操作を許可あるいは禁止する制御信号を出力する点において上記実施例１と異なる。
【００４４】
本実施例２のアルコール検査装置を使用してアルコール検査を実施する場合、図６に示すように、被験者はまずアルコール検査部４０１に息を吹き込む（５０１）。
【００４５】
カメラ部４０４は、アルコール検査部４０１に息が吹き込まれたことをトリガーとして、被験者の顔画像を撮影し、顔画像データとして取得する（５０２）。顔認証本人判定部４０６は、事前登録顔画像記憶部４０５にあらかじめ登録されている正規の利用者の顔画像と、カメラ部４０４で撮影された被験者の顔画像とを照合して、検査中の被験者が本人であるか否かを判定する本人認証を行う（５０３）。
【００４６】
一方、図５において、上記５０２，５０３と並行して、５０４，５０５が行われる。すなわち、被験者によりアルコール検査部４０１に息が吹き込まれると（５０１）、アルコール検査部４０１は、その息を分析し、息の中に含まれているアルコール濃度を数値化し、飲酒判定部４０２へ送信する（５０４）。飲酒判定部４０２は、アルコール検査部４０１から送信されたアルコール濃度の数値を元に飲酒判定を行う（５０５）。
【００４７】
そして、結果制御部４０３は、上記５０３における顔認証本人判定部４０６での本人認証の結果と、上記５０５における飲酒判定部４０２での飲酒判定の結果とを合わせた形式に編集し、結果表示部４０７に表示する（５０６）。
【００４８】
また、結果制御部４０３は、本人認証及び飲酒判定の結果として、「被験者本人であり、かつ、飲酒状態ではない」という結果が出たかどうかを判断する（５０７）。「本人認証の結果が被験者本人であり、かつ、飲酒判定の結果が飲酒状態ではない」と判断した場合（５０７／ＹＥＳ）、結果制御部４０３は、操作対象システム４０８に対して、操作を許可する制御信号を出力する（５０９）。一方、「本人認証の結果が被験者本人ではない、または、飲酒判定の結果が飲酒状態（一定以上のアルコールが検出された状態）である」と判断した場合（５０７／ＮＯ）、結果制御部４０３は、操作対象システム４０８に対して、操作を禁止する制御信号を出力する（５０８）。
【００４９】
以上説明したように、本実施例２によれば、自動車、電車、作業機械などの操作対象システムにおける操作の可否を制御する制御信号を発信する機能を備えることにより、飲酒判定及び本人認証の両方に問題がない場合は、操作対象システムの操作を可能とするように制御できる一方で、飲酒状態や他人によるなりすましを検出した場合は、操作対象システムの操作を禁止にするように制御できる。
【実施例３】
【００５０】
次に、本発明の実施例３であるアルコール検査装置の構成について、図７を参照して以下に説明する。
【００５１】
図７に示すように、本実施例３のアルコール検査装置は、被験者により吹き込まれた息からアルコール濃度を測定するアルコール検査部７０１と、アルコール検査部７０１の検査データ（アルコール濃度を数値化したもの）を元に被験者が飲酒状態か否かを判定する飲酒判定部７０２と、アルコール検査部７０１にて検査中の被験者の顔画像を撮影するカメラ部７０４と、本人認証の結果と飲酒判定の結果とを編集する結果制御部７０３と、結果制御部７０３にて編集された結果を表示する結果表示部（ディスプレイ）７０７と、を有して構成される。また、本実施例３のアルコール検査装置は、図示しない通信インターフェースを介して外部のデータベースサーバ（本実施例では、顔画像保管ＤＢ７０５）と通信可能である。
【００５２】
本実施例３は、上記実施例１においてアルコール検査装置内に備えられた事前登録顔画像記憶部１０５の代わりに、アルコール検査装置外に備えられた、大容量のデータを保管可能なデータベースサーバ（外部装置）である顔画像保管ＤＢ７０５を用いる例である。この顔画像保管ＤＢ７０５は、事前登録顔画像記憶部１０５と同様に、検査前に撮影された被験者本人の顔画像があらかじめ登録される。また、この顔画像保管ＤＢ７０５は、図示しない通信インターフェースを介してアルコール検査装置との通信を行うことができ、カメラ部７０４にて撮影された顔画像をアルコール検査装置から受信し、その受信した顔画像と、顔画像保管ＤＢ７０５内にあらかじめ登録されている顔画像とを比較して、被験者が本人であるか否かを判定する本人認証を行う顔認証本人判定部７０６を有する。
【００５３】
本発明の実施例３であるアルコール検査装置の動作（アルコール検査方法）について、図８及び図９を参照して以下に説明する。
【００５４】
本実施例３のアルコール検査装置を使用してアルコール検査を実施する場合、図９に示すように、被験者はまずアルコール検査部７０１に息を吹き込む（８０１）。
【００５５】
カメラ部７０４は、アルコール検査部７０１に息が吹き込まれたことをトリガーとして、被験者の顔画像を撮影し、顔画像データとして取得する（８０２）。カメラ部７０４は、図示しない通信インターフェースを介して、取得した顔画像データを顔画像保管ＤＢ７０５内の顔認証本人判定部７０６へ送信する（８０３）。
【００５６】
顔認証本人判定部７０６は、顔画像保管ＤＢ７０５にあらかじめ登録されている正規の利用者の顔画像と、カメラ部７０４で撮影され、アルコール検査装置から受信した被験者の顔画像とを照合して、検査中の被験者が本人であるか否かを判定する本人認証を行う（８０４）。
【００５７】
一方、図８において、上記８０２，８０３，８０４と並行して、８０５，８０６が行われる。すなわち、被験者によりアルコール検査部７０１に息が吹き込まれると（８０１）、アルコール検査部７０１は、その息を分析し、息の中に含まれているアルコール濃度を数値化し、飲酒判定部７０２へ送信する（８０５）。飲酒判定部７０２は、アルコール検査部７０１から送信されたアルコール濃度の数値を元に飲酒判定を行う（８０６）。
【００５８】
そして、結果制御部７０３は、上記８０４における顔認証本人判定部７０６での本人認証の結果を受信し、その受信した本人認証の結果と、上記８０６における飲酒判定部７０２での飲酒判定の結果とを合わせた形式に編集し、結果表示部７０７に表示する（８０７）。
【００５９】
以上説明したように、本実施例３によれば、アルコール検査装置側ではなく、データベースサーバ（顔画像保管ＤＢ）で本人認証を行うので、複数の被験者でアルコール検査装置を利用する場合において有効である。
【００６０】
なお、本実施例３では、図７及び図９において、アルコール検査装置側には顔認証本人判定部を備えない構成としたが、上記実施例１の図１及び図３のように、アルコール検査装置内にも顔認証本人判定部を備えるようにしてもよい。この場合、顔画像保管ＤＢ７０５内の顔認証本人判定部７０６、あるいは、アルコール検査装置内に備えられた顔認証本人判定部のどちらを使用するかを任意に選択できるようにすることが好ましい。
【００６１】
また、本実施例３では、図８に示すように、本人認証と飲酒判定の結果を表示するのみとしたが、上記実施例２の構成と組み合わせて、操作対象システムの操作制御も行えるようにしてもよい。
【実施例４】
【００６２】
本発明の実施例４であるアルコール検査装置の構成について、図１０を参照して以下に説明する。
【００６３】
図１０に示すように、本実施例４のアルコール検査装置は、被験者により吹き込まれた息からアルコール濃度を測定するアルコール検査部１００１と、アルコール検査部１００１の検査データ（アルコール濃度を数値化したもの）を元に被験者が飲酒状態か否かを判定する飲酒判定部１００２と、アルコール検査部１００１にて検査中の被験者の顔画像を撮影するカメラ部１００４と、カメラ部１００４にて撮影された顔画像と、事前登録顔画像記憶部１００５にあらかじめ登録されている顔画像とを比較して、被験者が本人であるか否かを判定する本人認証を行う顔認証本人判定部１００６と、本人認証の結果と飲酒判定の結果とを編集する結果制御部１００３と、結果制御部１００３にて編集された結果を表示する結果表示部（ディスプレイ）１００７と、ＩＣカード（記憶媒体）に格納されたデータを読み取るＩＣカード読取部１００８と、を有して構成される。
【００６４】
本実施例４は、上記実施例１においてアルコール検査装置内に備えられた事前登録顔画像記憶部１０５の代わりに、図１０に示すようにＩＣカード読取部１００８を備え、このＩＣカード読取部１００８により、事前に登録された顔画像を格納したＩＣカードから顔画像データを読み取る例である。
【００６５】
本発明の実施例４であるアルコール検査装置の動作（アルコール検査方法）について、図１１及び図１２を参照して以下に説明する。
【００６６】
本実施例４のアルコール検査装置を使用してアルコール検査を実施する場合、図１２に示すように、被験者はまずＩＣカード読取部１００８にＩＣカードを置くなどして、あらかじめＩＣカードに格納された当該被験者の顔画像データをＩＣカード読取部１００８に読み取らせる（１１０１）。そして、被験者は、アルコール検査部１００１に息を吹き込む（１１０２）。
【００６７】
カメラ部１００４は、アルコール検査部１００１に息が吹き込まれたことをトリガーとして、被験者の顔画像を撮影し、顔画像データとして取得する（１１０３）。顔認証本人判定部１００６は、ＩＣカード読取部１００８によりＩＣカードから読み取った当該被験者の顔画像と、カメラ部１００４で撮影された被験者の顔画像とを照合して、検査中の被験者が本人であるか否かを判定する本人認証を行う（１１０４）。
【００６８】
一方、図１１において、上記１１０３，１１０４と並行して、１１０５，１１０６が行われる。すなわち、被験者によりアルコール検査部１００１に息が吹き込まれると（１１０２）、アルコール検査部１００１は、その息を分析し、息の中に含まれているアルコール濃度を数値化し、飲酒判定部１００２へ送信する（１１０５）。飲酒判定部１００２は、アルコール検査部１００１から送信されたアルコール濃度の数値を元に飲酒判定を行う（１１００６）。
【００６９】
そして、結果制御部１００３は、上記１１０４における顔認証本人判定部１００６での本人認証の結果と、上記１１０６における飲酒判定部１００２での飲酒判定の結果とを合わせた形式に編集し、結果表示部１００７に表示する（１１０７）。
【００７０】
以上説明したように、本実施例４によれば、ＩＣカードから各被験者の顔画像を取得するので、アルコール検査装置内に事前登録顔画像記憶部を備える必要が無く、多くの被験者が利用する場合において有効である。
【００７１】
なお、本実施例４は、上記実施例１〜３の少なくとも１つを組み合わせて構成・動作することも可能である。例えば、本実施例４の構成に、上記実施例１のようにアルコール検査装置内に事前登録顔画像記憶部を備えたり、また、上記実施例３のように顔画像保管ＤＢと通信可能としたり、上記実施例２のように操作対象システムの操作制御を行えるようにしたりしてもよい。
【００７２】
また、本実施例４では、図１２に示すように、ＩＣカード読取部１００８をアルコール検査装置内に備える構成としたが、インターフェースを介して外部のＩＣカード読取部（読取装置）と接続できるように構成してもよい。
【実施例５】
【００７３】
次に、本発明の実施例５であるアルコール検査装置の構成について、図１３を参照して以下に説明する。
【００７４】
図１３に示すように、本実施例５のアルコール検査装置は、被験者により吹き込まれた息からアルコール濃度を測定するアルコール検査部１３０１と、アルコール検査部１３０１の検査データ（アルコール濃度を数値化したもの）を元に被験者が飲酒状態か否かを判定する飲酒判定部１３０２と、アルコール検査部１３０１にて検査中の被験者の顔画像を撮影するカメラ部１３０４と、カメラ部１３０４にて撮影された顔画像と、顔画像保管ＤＢ１３０５から受信した事前登録された顔画像とを比較して、被験者が本人であるか否かを判定する本人認証を行う顔認証本人判定部１３０６と、本人認証の結果と飲酒判定の結果とを編集する結果制御部１３０３と、結果制御部１３０３にて編集された結果を表示する結果表示部（ディスプレイ）１３０７と、を有して構成される。また、本実施例３のアルコール検査装置は、図示しない通信インターフェースを介して外部のデータベースサーバ（本実施例では、顔画像保管ＤＢ１３０５）と通信可能である。
【００７５】
本実施例５は、上記実施例１においてアルコール検査装置内に備えられた事前登録顔画像記憶部１０５の代わりに、アルコール検査装置外に備えられた、大容量のデータを保管可能なデータベースサーバである顔画像保管ＤＢ１３０５を用いる例である。この顔画像保管ＤＢ１３０５は、事前登録顔画像記憶部１０５と同様に、検査前に撮影された被験者本人の顔画像があらかじめ登録される。また、この顔画像保管ＤＢ１３０５は、図示しない通信インターフェースを介してアルコール検査装置との通信を行うことができ、事前登録された顔画像データをアルコール検査装置側の顔認証本人判定部１０６へ送信する。また、この顔画像保管ＤＢ１３０５は、図１３及び図１５に示すように、図示しないインターフェースを介してＩＣカード読取部１３０８及びキーボード端末１３０９と接続される。
【００７６】
本発明の実施例５であるアルコール検査装置の動作（アルコール検査方法）について、図１４及び図１５を参照して以下に説明する。
【００７７】
本実施例５のアルコール検査装置を使用してアルコール検査を実施する場合、図１５に示すように、被験者はまずＩＣカード読取部１３０８にＩＣカードを置くなどして、あらかじめＩＣカードに格納された当該被験者のＩＤ（識別情報の一例）をＩＣカード読取部１３０８に読み取らせる（１４０１）。また、被験者はキーボード端末１３０９から固有のパスワード（識別情報の一例）を入力する（１４０２）。ここで、顔画像保管ＤＢ１３０５は、ＩＣカード読取部１３０８で読み取られたＩＤ及びキーボード端末１３０９で入力されたパスワードに紐付けられた顔画像データを、事前登録されている複数の顔画像データの中から検索し、検索した顔画像データをアルコール検査装置の顔認証本人判定部１３０６に送信する。
【００７８】
カメラ部１３０４は、被験者によりアルコール検査部１３０１に息が吹き込まれると（１４０３）、アルコール検査部１３０１に息が吹き込まれたことをトリガーとして、被験者の顔画像を撮影し、顔画像データとして取得する（１４０４）。顔認証本人判定部１３０６は、顔画像保管ＤＢ１３０５から受信した当該被験者の顔画像と、カメラ部１３０４で撮影された被験者の顔画像とを照合して、検査中の被験者が本人であるか否かを判定する本人認証を行う（１４０５）。
【００７９】
一方、図１４において、上記１４０４，１４０５と並行して、１４０６，１４０７が行われる。すなわち、被験者によりアルコール検査部１３０１に息が吹き込まれると（１４０３）、アルコール検査部１３０１は、その息を分析し、息の中に含まれているアルコール濃度を数値化し、飲酒判定部１３０２へ送信する（１４０６）。飲酒判定部１３０２は、アルコール検査部１３０１から送信されたアルコール濃度の数値を元に飲酒判定を行う（１４００７）。
【００８０】
そして、結果制御部１３０３は、上記１４０５における顔認証本人判定部１３０６での本人認証の結果と、上記１４０７における飲酒判定部１３０２での飲酒判定の結果とを合わせた形式に編集し、結果表示部１３０７に表示する（１４０８）。
【００８１】
以上説明したように、本実施例５によれば、顔画像保管ＤＢから各被験者の顔画像を取得するので、アルコール検査装置内に事前登録顔画像記憶部を備える必要が無く、多くの被験者が利用する場合において有効である。
【００８２】
なお、本実施例５は、上記実施例１〜４の少なくとも１つを組み合わせて構成・動作することも可能である。
【実施例６】
【００８３】
本発明の実施例６であるアルコール検査装置の構成について、図１６を参照して以下に説明する。
【００８４】
図１６に示すように、本実施例６のアルコール検査装置は、被験者により吹き込まれた息からアルコール濃度を測定するアルコール検査部１６０１と、アルコール検査部１６０１の検査データ（アルコール濃度を数値化したもの）を元に被験者が飲酒状態か否かを判定する飲酒判定部１６０２と、アルコール検査部１６０１にて検査中の被験者の顔画像を撮影するカメラ部１６０４と、検査前に撮影された被験者本人の顔画像があらかじめ登録されている事前登録顔画像記憶部１６０５と、カメラ部１６０４にて撮影された顔画像と、事前登録顔画像記憶部１６０５にあらかじめ登録されている顔画像とを比較して、被験者が本人であるか否かを判定する本人認証を行う顔認証本人判定部１６０６と、本人認証の結果と飲酒判定の結果とを編集する結果制御部１６０３と、結果制御部１６０３にて編集された結果を表示する結果表示部（ディスプレイ）１６０７と、アルコール検査が実施されたことを示す履歴情報を保存する履歴保存部１６１０と、を有して構成される。
【００８５】
本発明の実施例６であるアルコール検査装置の動作（アルコール検査方法）について、図１７及び図１８を参照して以下に説明する。
【００８６】
本実施例６のアルコール検査装置を使用してアルコール検査を実施する場合、図１８に示すように、被験者はまずアルコール検査部１６０１に息を吹き込む（１７０１）。
【００８７】
カメラ部１６０４は、アルコール検査部１６０１に息が吹き込まれたことをトリガーとして、被験者の顔画像を撮影し、顔画像データとして取得する（１７０２）。顔認証本人判定部１６０６は、事前登録顔画像記憶部１６０５にあらかじめ登録されている正規の利用者の顔画像と、カメラ部１６０４で撮影された被験者の顔画像とを照合して、検査中の被験者が本人であるか否かを判定する本人認証を行う（１７０３）。
【００８８】
一方、図１７において、上記１７０２，１７０３と並行して、１７０４，１７０５が行われる。すなわち、被験者によりアルコール検査部１６０１に息が吹き込まれると（１７０１）、アルコール検査部１６０１は、その息を分析し、息の中に含まれているアルコール濃度を数値化し、飲酒判定部１６０２へ送信する（１７０４）。飲酒判定部１６０２は、アルコール検査部１６０１から送信されたアルコール濃度の数値を元に飲酒判定を行う（１７０５）。
【００８９】
そして、結果制御部１６０３は、上記１７０３における顔認証本人判定部１６０６での本人認証の結果と、上記１７０５における飲酒判定部１６０２での飲酒判定の結果とを合わせた形式に編集し、結果表示部１６０７に表示する（１７０６）。
【００９０】
また、結果制御部１６０３は、当該アルコール検査が実施されたことを示す履歴情報を履歴保存部１６１０に格納する（１７０７）。格納される履歴情報は、結果制御部１６０３で編集されるものとし、その内容は、例えば、検査が実施された日付（アルコール検査部に息が吹き込まれた日時）と、上記本人認証結果及び飲酒判定結果とが対応付けられたものである。履歴保存部１６１０に格納された履歴情報は、結果表示部１６０７に表示することができる。
【００９１】
以上説明したように、本実施例６によれば、アルコール検査を実施したことを示す履歴を保存できるので、誰がいつ検査を受けたかの証拠を残すことができる。
【００９２】
なお、本実施例６では、履歴保存部をアルコール検査装置内に搭載する構成としたが、この履歴保存部をＬＡＮもしくはＷＡＮにより接続された外部コンピュータ（例えば、実施例３，５の顔画像保管ＤＢ等）などに搭載し、アルコール検査装置から、通信インターフェースを介して履歴を送信し、外部コンピュータなどに保存するようにしてもよい。また、履歴は、アルコール検査装置内部の履歴保存部に保存しつつ、通信インターフェースを介して履歴を送信し、外部コンピュータなどにも保存するようにしてもよい。
【００９３】
また、本実施例６は、上記実施例１〜５の少なくとも１つを組み合わせて構成・動作することも可能である。
【００９４】
以上、本発明の各実施例について説明したが、上記各実施例の記載に限定されるものではなく、その要旨を逸脱しない範囲において種々の変形が可能である。また、上記実施例１〜６はそれぞれ、可能な範囲で任意に組み合わせて構成・動作することができる。
【産業上の利用可能性】
【００９５】
本発明は、アルコールなどの所定の成分を人体などから検出する際に、被験者を特定するための装置・機器に適用できる。
【図面の簡単な説明】
【００９６】
【図１】本発明の実施例１に係るアルコール検査装置の構成を示すブロック図である。
【図２】本発明の実施例１に係るアルコール検査装置の動作を示すフローチャートである。
【図３】本発明の実施例１に係るアルコール検査装置の使用時の状態を示す図である。
【図４】本発明の実施例２に係るアルコール検査装置の構成を示すブロック図である。
【図５】本発明の実施例２に係るアルコール検査装置の動作を示すフローチャートである。
【図６】本発明の実施例２に係るアルコール検査装置の使用時の状態を示す図である。
【図７】本発明の実施例３に係るアルコール検査装置の構成を示すブロック図である。
【図８】本発明の実施例３に係るアルコール検査装置の動作を示すフローチャートである。
【図９】本発明の実施例３に係るアルコール検査装置の使用時の状態を示す図である。
【図１０】本発明の実施例４に係るアルコール検査装置の構成を示すブロック図である。
【図１１】本発明の実施例４に係るアルコール検査装置の動作を示すフローチャートである。
【図１２】本発明の実施例４に係るアルコール検査装置の使用時の状態を示す図である。
【図１３】本発明の実施例５に係るアルコール検査装置の構成を示すブロック図である。
【図１４】本発明の実施例５に係るアルコール検査装置の動作を示すフローチャートである。
【図１５】本発明の実施例５に係るアルコール検査装置の使用時の状態を示す図である。
【図１６】本発明の実施例６に係るアルコール検査装置の構成を示すブロック図である。
【図１７】本発明の実施例６に係るアルコール検査装置の動作を示すフローチャートである。
【図１８】本発明の実施例６に係るアルコール検査装置の使用時の状態を示す図である。
【符号の説明】
【００９７】
１０１、４０１、７０１、１００１、１３０１、１６０１    アルコール検査部
１０２、４０２、７０２、１００２、１３０２、１６０２    飲酒判定部
１０３、４０３、７０３、１００３、１３０３、１６０３    結果制御部
１０４、４０４、７０４、１００４、１３０４、１６０４    カメラ部
１０５、４０５、１６０５    事前登録顔画像記憶部
１０６、４０６、７０６、１００６、１３０６、１６０６    顔認証本人判定部
１０７、４０７、７０７、１００７、１３０７、１６０７    結果表示部
４０８    操作対象システム
７０５、１３０５    顔画像保管ＤＢ
１００８、１３０８    ＩＣカード読取部
１３０９    キーボード端末
１６１０    履歴保存部
【図１】
2008170395.tif 000003
【図２】
2008170395.tif 000004
【図３】
2008170395.tif 000005
【図４】
2008170395.tif 000006
【図５】
2008170395.tif 000007
【図６】
2008170395.tif 000008
【図７】
2008170395.tif 000009
【図８】
2008170395.tif 000010
【図９】
2008170395.tif 000011
【図１０】
2008170395.tif 000012
【図１１】
2008170395.tif 000013
【図１２】
2008170395.tif 000014
【図１３】
2008170395.tif 000015
【図１４】
2008170395.tif 000016
【図１５】
2008170395.tif 000017
【図１６】
2008170395.tif 000018
【図１７】
2008170395.tif 000019
【図１８】
2008170395.tif 000020